(57)【要約】      （修正有）【課題】空調機側の稼働状況などの情報を取得することなく、空調熱源機の冷温水温度を適切に制御することが可能な空調熱源機の制御システム等を提供する。【解決手段】制御装置５は、送水温度と還水温度と送水流量から、空調負荷を算出する。具体的には、制御装置５は、温度計１１から、送水側温度情報を取得し、温度計１５から還水側温度情報を取得し、流量計１３から流量情報を取得する。空調負荷情報は、（還水側温度情報−送水側温度情報）×流量情報で算出される。制御装置５は、記憶部に保存されている設定温度情報を取得する。制御装置５は、設定温度情報と、算出された空調負荷から、適切な送水温度を設定し、空調熱源機３の冷温水温度を制御する。【選択図】図１
2017110836.tif 000002
【特許請求の範囲】
【請求項１】
複数の空調機へ循環する冷温水の送水温度を調整する空調熱源機と、
前記空調熱源機の前記冷温水の送水温度を決定し、設定する制御部と、
空調負荷に応じた前記冷温水の設定温度情報を記憶する記憶部と、
を具備し、
前記制御部は、
前記冷温水の送水側温度情報を取得する送水側温度取得手段と、
前記冷温水の還水側温度情報を取得する還水側温度取得手段と、
前記送水側温度情報と前記還水側温度情報との差に基づいて、前記記憶部から、対応する前記設定温度情報を取得し、前記冷温水の送水温度を設定する冷温水温度設定手段と、
を具備することを特徴とする空調熱源機の制御システム。
【請求項２】
前記制御部は、
前記冷温水の流量情報を測定する流量取得手段と、
前記送水側温度情報と前記還水側温度情報との差に、前記流量情報を乗じて、空調負荷情報を算出する空調負荷算出手段と、をさらに具備し、
前記制御部は、前記空調負荷情報に基づいて、前記記憶部から、対応する前記設定温度情報を取得することを特徴とする請求項１記載の空調熱源機の制御システム。
【請求項３】
前記制御部は、さらに外気環境情報を取得する外気環境情報取得手段を具備し、
前記設定温度情報は、前記空調負荷情報と前記外気環境情報に応じて設定されることを特徴とする請求項２記載の空調熱源機の制御システム。
【請求項４】
前記制御部は、
各空調機側からのクレーム情報を取得するクレーム情報取得手段と、
前記クレーム情報に基づいて、前記設定温度情報を補正し、前記記憶部に記憶させる設定温度補正手段と、
をさらに具備することを特徴とする請求項１から請求項３のいずれかに記載の空調熱源機の制御システム。
【請求項５】
前記制御部は、送水温度の調整を行わず、かつ、前記クレーム情報に対する処理を行わない制御禁止時間帯を設定することを特徴とする請求項４記載の空調熱源機の制御システム。
【請求項６】
前記制御部は、前記クレーム情報を取得すると、所定時間、前記冷温水の送水温度を基準温度に設定するとともに、クレーム回数を積算し、
クレーム回数が所定回数以上となった際に、前記設定温度補正手段によって、前記設定温度情報を補正することを特徴とする請求項４または請求項５記載の空調熱源機の制御システム。
【請求項７】
空調熱源機の制御方法であって、
複数の空調機へ循環する冷温水の送水側温度情報を取得する工程ｂと、
前記冷温水の還水側温度情報を取得する工程ｃと、
前記送水側温度情報と前記還水側温度情報に基づいて、記憶部から、対応する設定温度情報を取得し、前記冷温水の送水温度を設定する工程ｅと、
を具備することを特徴とする空調熱源機の制御方法。
【請求項８】
前記冷温水の流量情報を測定する工程ａと、
前記工程ｅの前に、前記送水側温度情報と前記還水側温度情報との差に、前記流量情報を乗じて、空調負荷情報を算出する工程ｄをさらに具備し、
前記工程ｅは、前記空調負荷情報に基づいて、記憶部から、対応する設定温度情報を取得することを特徴とする請求項７記載の空調熱源機の制御方法。
【請求項９】
前記工程ｅの前に、さらに外気環境情報を取得する工程ｆを具備し、
前記工程ｅは、前記空調負荷情報と前記外気環境情報に応じて前記冷温水の送水温度を設定することを特徴とする請求項８記載の空調熱源機の制御方法。
【請求項１０】
前記工程ｅの後、各空調機側からのクレーム情報を取得する工程ｇと、
前記クレーム情報に基づいて、前記設定温度情報を補正し、前記記憶部に記憶させる工程ｈと、
をさらに具備することを特徴とする請求項７から請求項９のいずれかに記載の空調熱源機の制御方法。
【請求項１１】
前記工程ｇにおいて、所定時間内においては、送水温度の調整および前記クレーム情報に対する処理を行わない制御禁止時間帯を設けることを特徴とする請求項１０記載の空調熱源機の制御方法。
【請求項１２】
前記工程ｇにおいて、前記クレーム情報を取得すると、所定時間、前記冷温水の送水温度を基準温度に設定するとともに、クレーム回数を積算し、
クレーム回数が所定回数以上となった際に、前記設定温度情報を補正することを特徴とする請求項１０または請求項１１記載の空調熱源機の制御方法。
【発明の詳細な説明】
【技術分野】
【０００１】
本発明は、セントラル空調に用いられる空調熱源機の制御システムおよびその制御方法に関するものである。
【背景技術】
【０００２】
セントラル空調システムは、空調熱源機で冷温水を製造し、空調熱源機が製造した冷温水を各空調機に供給して、この冷温熱を利用して冷暖房を行うものである。セントラル空調システムの省エネルギーを達成する方法としては、例えば、空調熱源機における冷温水温度を最適に制御する方法や、空調機において冷暖房温度を最適に制御する方法がある。
【０００３】
空調熱源機の冷温水温度を最適に制御する方法としては、例えば、空調機から冷温水温度要求信号を取得して、その信号の中から最も要求の厳しい冷温水温度に合わせて、空調熱源機の温度を決定する方法がある（特許文献１）。
【先行技術文献】
【特許文献】
【０００４】
【特許文献１】特開平７−１３６３７号公報
【発明の概要】
【発明が解決しようとする課題】
【０００５】
特許文献１の方法によれば、空調機からの要求に応じて空調熱源機の冷温水温度が決定されるため、過剰な温度設定を抑制することができる。しかし、このシステムを実現するためには、すべての空調機に対して空調熱源機に対する温度要求信号を発信する出力装置が必要となる。また、同様に、空調熱源機は、各空調機からの要求を受信するための入力装置が必要となる。
【０００６】
通常、二次側の空調機の台数は多く、これらすべてに出力装置を設けるのは、コストがかかるとともに、システムが大型化する。したがって、よりシンプルな空調熱源機の制御システムが望まれている。
【０００７】
本発明は、このような問題に鑑みてなされたもので、空調機側の稼働状況などの情報を取得することなく、空調熱源機の冷温水温度を適切に制御することが可能な空調熱源機の制御システム等を提供することを目的とする。
【課題を解決するための手段】
【０００８】
前述した目的を達するために第１の発明は、複数の空調機へ循環する冷温水の送水温度を調整する空調熱源機と、前記空調熱源機の前記冷温水の送水温度を決定し、設定する制御部と、空調負荷に応じた前記冷温水の設定温度情報を記憶する記憶部と、を具備し、前記制御部は、前記冷温水の送水側温度情報を取得する送水側温度取得手段と、前記冷温水の還水側温度情報を取得する還水側温度取得手段と、前記送水側温度情報と前記還水側温度情報との差に基づいて、前記記憶部から、対応する前記設定温度情報を取得し、前記冷温水の送水温度を設定する冷温水温度設定手段と、を具備することを特徴とする空調熱源機の制御システムである。
【０００９】
前記制御部は、前記冷温水の流量情報を測定する流量取得手段と、前記送水側温度情報と前記還水側温度情報との差に、前記流量情報を乗じて、空調負荷情報を算出する空調負荷算出手段と、をさらに具備し、前記制御部は、前記空調負荷情報に基づいて、前記記憶部から、対応する前記設定温度情報を取得してもよい。
【００１０】
前記制御部は、さらに外気環境情報を取得する外気環境情報取得手段を具備し、
前記設定温度情報は、前記空調負荷情報と前記外気環境情報に応じて設定されてもよい。
【００１１】
前記制御部は、各空調機側からのクレーム情報を取得するクレーム情報取得手段と、前記クレーム情報に基づいて、前記設定温度情報を補正し、前記記憶部に記憶させる設定温度補正手段と、をさらに具備することが望ましい。
【００１２】
前記制御部は、送水温度の調整を行わず、かつ、前記クレーム情報に対する処理を行わない制御禁止時間帯を設定してもよい。
【００１３】
前記制御部は、前記クレーム情報を取得すると、所定時間、前記冷温水の送水温度を基準温度に設定するとともに、クレーム回数を積算し、クレーム回数が所定回数以上となった際に、前記設定温度補正手段によって、前記設定温度情報を補正してもよい。
【００１４】
第１の発明によれば、送水温度と還水温度と流量とから空調負荷を算出し、空調負荷によって、冷温水の温度制御を行うため、空調機側からの要求信号を受信する必要がない。したがって、各空調機に、要求信号作成手段や、要求信号送信手段を設ける必要がなく、簡素なセントラル空調システムの空調熱源機の制御システムを実現することができる。
【００１５】
また、外気温度取得手段によって外気温度情報を取得し、外気温度を加味して冷温水温度を制御することで、より精度のよい制御を行うことができる。
【００１６】
また、クレーム取得手段を設け、使用者からのクレームを取得した際に、設定温度を補正することができれば、設定温度の学習を行うことができる。
【００１７】
この際、クレーム情報に対して、所定の時間帯だけ設定温度制御を行わない制御禁止時間帯を設けることで、必要以上に設定温度が補正されることを抑制することができる。
【００１８】
また、クレーム回数に応じて設定温度を補正することで、クレームの多い場合にのみ設定温度の補正が行われるため、必要以上に設定温度が補正されることを抑制することができる。
【００１９】
第２の発明は、空調熱源機の制御方法であって、複数の空調機へ循環する冷温水の送水側温度情報を取得する工程ｂと、前記冷温水の還水側温度情報を取得する工程ｃと、前記送水側温度情報と前記還水側温度情報に基づいて、記憶部から、対応する設定温度情報を取得し、前記冷温水の送水温度を設定する工程ｅと、を具備することを特徴とする空調熱源機の制御方法である。
【００２０】
前記冷温水の流量情報を測定する工程ａと、前記工程ｅの前に、前記送水側温度情報と前記還水側温度情報との差に、前記流量情報を乗じて、空調負荷情報を算出する工程ｄをさらに具備し、前記工程ｅは、前記空調負荷情報に基づいて、記憶部から、対応する設定温度情報を取得してもよい。
【００２１】
前記工程ｅの前に、さらに外気環境情報を取得する工程ｆを具備し、前記工程ｅは、前記空調負荷情報と前記外気環境情報に応じて前記冷温水の送水温度を設定してもよい。
【００２２】
前記工程ｅの後、各空調機側からのクレーム情報を取得する工程ｇと、前記クレーム情報に基づいて、前記設定温度情報を補正し、前記記憶部に記憶させる工程ｈと、をさらに具備してもよい。
【００２３】
前記工程ｇにおいて、所定時間内においては、送水温度の調整および前記クレーム情報に対する処理を行わない制御禁止時間帯を設けてもよい。
【００２４】
前記工程ｇにおいて、前記クレーム情報を取得すると、所定時間、前記冷温水の送水温度を基準温度に設定するとともに、クレーム回数を積算し、クレーム回数が所定回数以上となった際に、前記設定温度情報を補正してもよい。
【００２５】
第２の発明によれば、第１の発明と同様の効果を得ることができる。
【発明の効果】
【００２６】
本発明によれば、空調機側の稼働状況などの情報を取得することなく、空調熱源機の冷温水温度を適切に制御することが可能な空調熱源機の制御システム等を提供することができる。
【図面の簡単な説明】
【００２７】
【図１】空調熱源機制御システム１を示すブロック図。
【図２】制御装置５を示すハードウェア構成図。
【図３】空調熱源機制御システム１の制御方法を示すフローチャート。
【図４】空調負荷と冷温水設定温度の関係を示す概念図。
【図５】空調負荷と冷温水設定温度の関係を補正した状態を示す概念図。
【図６】室内不快指数と空調負荷との関係を示す概念図。
【図７】他の空調熱源機制御システムの制御方法を示すフローチャート。
【発明を実施するための形態】
【００２８】
以下、図面を参照しながら、本発明の実施形態について説明する。図１は、空調熱源機制御システム１を示すブロック図である。空調熱源機制御システム１は、主に、空調熱源機３、制御装置５、空調機７、端末９、温度計１１、１５、１７、流量計１３、湿度計１９等から構成される。
【００２９】
空調熱源機３は、セントラル空調システムにおいて循環する冷温水の送水温度の調整を行う部位である。空調熱源機３には、配管２１ａ、２１ｂを介して、複数の空調機７が接続される。なお、空調機７の接続数は図示した例には限られない。
【００３０】
空調機７は、空調熱源機３から離れた位置であって、例えば、それぞれ異なる居室等に配置される。使用者は、空調機７ごとに、空調温度設定を行うことができる。
【００３１】
空調熱源機３は、図示を省略したポンプによって、配管２１ａに対して冷温水を送水する。配管２１ａを流れる冷温水は各空調機７に分岐される。空調機７において熱交換を行った後の冷温水は、配管２１ｂを介して空調熱源機３に循環する。以上により各空調機７において冷暖房を行うことができる。
【００３２】
制御装置５は、空調熱源機３の冷温水の送水温度を制御する。図２は、制御装置５を示すハードウェア構成図である。制御装置５は、例えばコンピュータであり、制御部２３、記憶部２５、メディア入出力部２７、通信制御部２９、入力部３１、表示部３３、周辺機器Ｉ／Ｆ部３５等から構成され、それらがバス３７を介して接続される。
【００３３】
制御部２３は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。ＣＰＵは、記憶部２５、ＲＯＭ、記録媒体等に格納されるプログラムをＲＡＭ上のワークメモリ領域に呼び出して実行し、バス３７を介して接続された各装置を駆動制御し、制御装置５が行う処理を実現する。例えば、制御部２３は、後述する各種情報に基づいて、空調熱源機３の送水温度を制御する。
【００３４】
ＲＯＭは、不揮発性メモリであり、コンピュータのブートプログラムやＢＩＯＳ等のプログラム、データ等を恒久的に保持している。ＲＡＭは、揮発性メモリであり、記憶部２５、ＲＯＭ、記録媒体等からロードしたプログラム、データ等を一時的に保持するとともに、制御部２３が各種処理を行う為に使用するワークエリアを備える。
【００３５】
記憶部２５は、ＨＤＤ（ハードディスクドライブ）やＳＳＤ（フラッシュＳＳＤ）（ソリッドステートドライブ）であり、制御部２３が実行するプログラム、プログラム実行に必要なデータ、ＯＳ（オペレーティングシステム）等が格納される。プログラムに関しては、ＯＳ（オペレーティングシステム）に相当する制御プログラムや、後述の処理に相当するアプリケーションプログラムが格納されている。これらの各プログラムコードは、制御部２３により必要に応じて読み出されてＲＡＭに移され、ＣＰＵに読み出されて各種の手段として実行される。また、記憶部２５には、本発明において用いられる、各種データが保管される。例えば、後述する空調負荷に応じた冷温水の設定温度情報を記憶する。
【００３６】
メディア入出力部２７（ドライブ装置）は、データの入出力を行い、例えば、フロッピー（登録商標）ディスクドライブ、ＣＤドライブ（−ＲＯＭ、−Ｒ、ＲＷ等）、ＤＶＤドライブ（−ＲＯＭ、−Ｒ、−ＲＷ等）、ＭＯドライブ等のメディア入出力装置を有する。
【００３７】
通信制御部２９は、通信制御装置、通信ポート等を有し、コンピュータとネットワーク間の通信を媒介する通信インタフェースであり、ネットワークを介して、各種情報を取得・送信することができる。
【００３８】
入力部３１は、データの入力を行い、例えば、キーボード、マウス等のポインティングデバイス、テンキー等の入力装置を有する。入力部３１を介して、コンピュータに対して、操作指示、動作指示、データ入力等を行うことができる。
【００３９】
表示部３３は、ＣＲＴモニタ、液晶パネル等のディスプレイ装置、ディスプレイ装置と連携してコンピュータのビデオ機能を実現するための論理回路等（ビデオアダプタ等）を有する。
【００４０】
周辺機器Ｉ／Ｆ（インタフェース）部３５は、コンピュータに周辺機器を接続させるためのポートであり、周辺機器Ｉ／Ｆ部３５を介してコンピュータは周辺機器とのデータの送受信を行う。
【００４１】
バス３７は、各装置間の制御信号、データ信号等の授受を媒介する経路である。なお、制御装置５としては、上記構成をすべて含むものに限定されるものではなく、本発明の機能を奏するために必要な構成のみを有すればよい。
【００４２】
制御装置５には、周辺機器Ｉ／Ｆ部３５等を介して、温度計１１、１５、１７、流量計１３、湿度計１９が接続される。温度計１１は、配管２１ａを流れる冷温水の送水温度を測定する。すなわち、制御装置５は、温度計１１を介して、空調熱源機３から各空調機７へ送水される冷温水の送水側温度情報を取得する送水側温度取得手段を具備する。
【００４３】
温度計１５は、配管２１ｂを流れる冷温水の還水温度を測定する。すなわち、制御装置５は、温度計１５を介して、各空調機７から空調熱源機３へ戻る冷温水の還水側温度情報を取得する還水側温度取得手段を具備する。
【００４４】
流量計１３は、配管２１ａまたは配管２１ｂに設けられ、冷温水の流量を測定する。すなわち、制御装置５は、流量計１３を介して、各空調機７へ流れる冷温水の流量情報を取得する流量取得手段を具備する。
【００４５】
温度計１７は、外気温度を測定する。また、湿度計１９は、外気の湿度を測定する。すなわち、制御装置５は、温度計１７および湿度計１９の少なくとも一つを介して、外気環境情報を取得する外気環境情報取得手段を具備する。
【００４６】
各空調機７を利用する利用者の携帯端末である端末９は、制御装置５へ所定の情報を送信可能である。各空調機７の使用者は、端末９によって、室内の温度が上がらない、または、下がらない場合などに、クレーム情報を制御装置５に送信可能である。すなわち、制御装置５は、端末９からのクレーム情報を取得するクレーム情報取得手段を具備する。
【００４７】
次に、本発明の空調熱源機制御システム１の制御方法について説明する。図３は、空調熱源機制御システム１の制御方法を示すフローチャートである。なお、以下の説明では、特に記載がない限り、セントラル空調として冷房を使用する場合について示すが、暖房でも同様の制御を行うことができる。
【００４８】
まず、制御装置５は、所定時間の制御禁止時間帯を設定する（ステップ１００）。制御禁止時間帯とは、空調熱源機３の温度調整を行わず、かつ、後述するクレーム情報を取得しても、冷温水温度の制御を行わない時間帯である。例えば、オフィスビルなどにおける制御禁止時間帯としては、始業時間付近における朝の数時間について設定される。この時間帯は、空調機７が稼働を開始して直後の時間帯であるため、空調機７の設定温度と室温との間に差が大きい。このため、例えば室温が十分に下がっていない場合でも、空調機７の能力不足ではない場合があるためである。
【００４９】
制御装置５は、現在が制御禁止時間帯である場合には（ステップ１０１）、冷温水温度を基準温度（冷房時には冷水設定温度範囲の最低温度であり、暖房時には温水設定温度範囲の最高温度）に設定する（ステップ１１５）。例えば、冷房時には、冷温水温度を７℃に設定する。
【００５０】
制御装置５は、制御禁止時間帯ではない場合には、次に、クレーム情報の有無を判断する（ステップ１０２）。クレーム情報とは、前述した端末９から、使用者が発した、室温が下がらない場合などにおける情報である。
【００５１】
クレーム情報がない場合には、制御装置５は、送水温度と還水温度と送水流量から、空調負荷を算出する（ステップ１０３）。具体的には、制御装置５は、温度計１１から、送水側温度情報を取得し、温度計１５から還水側温度情報を取得し、流量計１３から流量情報を取得する。空調負荷情報は、（還水側温度情報−送水側温度情報）×流量情報で算出される。なお、暖房時には、空調負荷情報の符号が逆転する。
【００５２】
次に、制御装置５は、記憶部２５に保存されている設定温度情報を取得する（ステップ１０４）。図４は、設定温度情報の概念図である。設定温度情報は、空調負荷に対する冷温水設定温度の関係が設定されたものである。
【００５３】
前述した様に、基準温度は、冷温水設定温度範囲の最低温度で設定されている（図中Ａ）。これに対し、空調負荷が低くなると、冷温水設定温度が徐々に高くなるように設定される。図示した例では、空調負荷が所定値（図中Ｂ）よりも低くなると、冷温水設定温度は、基準温度Ａから、所定温度だけ上昇する（図中Ｃ）。例えば、基準温度７℃に対して、空調負荷が小さくなるにつれて、段階的に７℃→８℃→９℃→・・・と冷温水設定温度が高くなる。
【００５４】
次に、制御装置５は、外気温度と外気湿度とを取得し、設定温度情報を修正する（ステップ１０５）。具体的には、制御装置５は、まず、温度計１７から、外気温度情報を取得し、湿度計１９から外気湿度情報を取得する。なお、外気温度および外気湿度などの外気環境情報による設定温度情報の修正はなくてもよい。また、例えば暖房時など、外気湿度が所定値以下の場合には、外気湿度情報を用いずに、外気温度情報のみを用いてもよい。
【００５５】
図５は、設定温度情報を修正する方法を示す概念図である。例えば、外気環境情報から、不快指数を算出し、不快指数に応じて、設定温度情報が修正される。設定温度情報の修正は、例えば、冷温水設定温度を変化させる空調負荷の閾値を変化させる。例えば、図５に示す例では、空調負荷がＢを下回った段階で、冷温水設定温度をＡからＣに変更していたが、修正後では、空調負荷がＤ（＜Ｂ）を下回った段階で、冷温水設定温度をＡからＣに変更するように修正される。
【００５６】
このように修正を行うことで、冷温水設定温度が低い範囲が広くなる。すなわち、空調負荷が下がっても、冷温水設定温度を変化させずに、より低温の冷温水設定温度を維持することで、室内の不快指数が上昇することを防ぐ。
【００５７】
ここで、設定温度情報および外気環境情報による設定温度情報の修正の考え方を説明する。図６は、空調負荷と室内不快指数との関係を示す概念図である。ここで、室内不快指数とは、外気環境における不快指数から予想される室内の不快指数である。
【００５８】
図中Ｆ〜Ｉは、それぞれ、冷温水設定温度の違いであって、例えば、７℃〜１０℃まで冷温水設定温度を変化させた際の、空調負荷と室内不快指数との変化を示す。冷温水設定温度が低い方（例えばＦ）が、大きな空調負荷が要求される状態でも、室内不快指数が相対的に低く、設定温度が高い方（例えばＩ）が、大きな空調負荷が要求される状態では、室内不快指数が相対的に高くなることを示す。
【００５９】
ここで、まず、室内不快指数の閾値Ｅを設定する。閾値Ｅは、使用者が室内で不快と感じない室内不快指数の上限である。空調負荷がＪ以上では、Ｆ（冷温水設定温度７℃）のみが室内不快指数がＥよりも低くなる。したがって、この空調負荷範囲では、設定水温を例えば７℃とする。
【００６０】
これに対し、空調負荷がＪよりも小さい場合には、Ｇ（冷温水設定温度８℃）であっても室内不快指数がＥよりも低くなる。したがって、この空調負荷範囲では、冷温水設定温度を例えば８℃とする。同様に、空調負荷がＫよりも小さい場合には、Ｈ（冷温水設定温度９℃）であっても室内不快指数がＥよりも低くなるため、この空調負荷範囲では、冷温水設定温度を例えば９℃とし、空調負荷がＬよりも小さい場合には、Ｉ（冷温水設定温度１０℃）であっても室内不快指数がＥよりも低くなるため、この空調負荷範囲では、冷温水設定温度を例えば１０℃とする。
【００６１】
このようにして、設定温度情報が設定される。これに対して、外気環境情報による修正は、例えば、以下のようにして行う。外気の不快指数が高くなると、室内の不快指数も相対的に高くなりやすくなる。このため、この場合には、室内不快指数の閾値Ｅをより低い値に修正する。このようにすることで、前述した様に、各冷温水設定温度の閾値が低い方へシフトさせることができる。なお、室内不快指数の閾値Ｅをそのままにして、線Ｆ〜Ｉの傾きを変化させてもよい。
【００６２】
制御装置５は、以上のようにして得られた設定温度情報と、算出された空調負荷から、適切な送水温度を決定し（ステップ１０６）、空調熱源機３の冷温水温度の設定を行う（ステップ１０７）。
【００６３】
次に、クレーム情報がある場合について説明する。制御装置５は、クレーム情報を取得（クレーム情報取得手段）した場合には（ステップ１０２）、現在の冷温水設定温度が基準温度の場合には、それ以上設定温度を下げることができないため、前述したステップ１０３以降の処理を行う。
【００６４】
一方、現在の冷温水設定温度が基準温度ではない場合（例えば、基準温度７℃に対して８℃以上の設定温度の場合）には、制御装置５は、所定時間の制御禁止時間帯を設定する（ステップ１１０）。例えば、以後１時間は、冷温水温度制御を行なわないように設定する。
【００６５】
また、制御装置５は、クレーム回数を積算する（ステップ１１１）。ここで、クレーム回数の積算数は、所定期間内におけるクレームの累積数であり、例えば、過去１か月のクレーム回数を積算する。
【００６６】
制御装置５は、クレーム回数が所定値まで達しているかを判定し（ステップ１１２）、クレーム回数が所定値に達していない場合には、そのまま、冷温水温度を基準温度に設定して（ステップ１１５）、空調熱源機３の冷温水温度を制御する（ステップ１０７）。
【００６７】
これに対し、クレーム回数が所定以上の場合には、制御装置５は、クレーム回数をリセットして、設定温度情報を補正する（ステップ１１３）。補正方法は、例えば、図６に示した室内不快指数の閾値Ｅを下方に所定量移動させて、設定温度情報を再度作成する。得られた補正後の設定温度情報は、記憶部２５に記憶される（ステップ１１４）。
【００６８】
また、制御装置５は、設定温度情報の補正及び記憶を行った後、冷温水温度を基準温度に設定して（ステップ１１５）、空調熱源機３の冷温水温度を制御する（ステップ１０７）。以上を機器停止まで繰り返す（ステップ１０８）。
【００６９】
以上説明したように、本実施形態の空調熱源機制御システム１によれば、空調負荷が低い場合には、空調機７の能力にまだ余力があると判断し、冷温水温度を変化させることで、空調熱源機３において過剰な温度制御を抑制することができる。この際、空調負荷は、送水温度、還水温度および流量から算出されるため、二次側の空調機７の運転状況などを監視する必要がない。このため、簡易なシステムで、省エネルギーを達成することができる。
【００７０】
また、外気温度などの外気環境情報によって、設定冷温水温度を修正することで、外気環境の状況に応じて適切な冷温水温度を設定することができる。
【００７１】
また、クレーム情報を取得した場合には、設定温度情報を補正することで、定説な温度設定条件を学習することができる。
【００７２】
また、空調熱源機３の温度調整を行わず、かつ、クレーム情報を受け付けない制御禁止時間帯を設けることで、立ち上がり時や温度変化直後などの非定常時間帯における過剰な設定温度情報の補正を抑制することができる。
【００７３】
また、クレーム情報が所定の期間内で所定回数以上である場合にのみ、設定温度情報を補正することで、設定温度情報を過剰に補正することを抑制することができる。
【００７４】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００７５】
例えば、クレーム情報を受け付けずに、空調負荷と設定温度情報のみから空調熱源機３の温度決定及び設定を行なってもよい。
【００７６】
また、前述した実施形態では、空調負荷に対して段階的に冷温水設定温度が変化する例を示したが、本発明はこれに限られない。例えば、空調負荷が、ある閾値（例えば図４のＢ）以下となると、空調負荷の変化に応じてなだらかに冷温水設定温度を変化させてもよい。
【００７７】
また、外気環境情報によって、設定温度情報を修正する例を示したが、記憶部２５にあらかじめ、不快指数ごとの設定温度情報を記憶しておき、得られた外気環境情報に応じて、不快指数を算出して、対応する設定温度情報を読み出してもよい。このように、制御部２３は、外気環境情報によって、設定温度情報を補正してもよく、外気環境情報に応じた設定温度情報を記憶部２５から読みだしてもよい。すなわち、制御部２３は、空調負荷情報と外気環境情報に応じて設定温度情報が設定されればよい。
【００７８】
また、前述した実施形態では、空調負荷情報を、送水側温度情報と還水側温度情報との差に、流量情報を乗じることで算出したが、本発明はこれに限られない。例えば、流量が一定である場合などには、その都度流量情報を取得せずに、前述したにおいて、送水側温度情報と還水側温度情報との差を用いて制御を行なってもよい。
【００７９】
図７は、空調負荷情報を用いずに、送水側温度情報と還水側温度情報との温度差に基づいて、制御を行なう場合のフローチャートである。なお、図３と同一の工程については、図３と同一のステップ番号を付し、重複する説明を省略する。
【００８０】
この実施形態では、制御部２３は、前述の実施形態のステップ１０３に代えて、送水温度と還水温度の温度差を算出する（ステップ２０３）。次に、制御部２３は、この温度差に応じてあらかじめ記憶部に記憶されている設定温度情報を取得する（ステップ２０４）。
【００８１】
その後、必要に応じて、外気環境情報によって設定温度情報を修正した後（ステップ１０５）、温度差に応じた送水温度を決定する（ステップ２０６）。すなわち、本実施形態では、冷温水の流量情報を取得しない。
【００８２】
なお、本実施形態において、流量が一定である場合には、温度差を空調負荷情報として扱うこともできる。例えば、送水側温度情報と還水側温度情報との差に、既知の流量を定数として乗じることで、空調負荷情報とすることもできる。
【符号の説明】
【００８３】
１………空調熱源機制御システム
３………空調熱源機
５………制御装置
７………空調機
９………端末
１１………温度計
１３………流量計
１５………温度計
１７………温度計
１９………湿度計
２１ａ、２１ｂ………配管
【図１】
2017110836.tif 000003
【図２】
2017110836.tif 000004
【図３】
2017110836.tif 000005
【図４】
2017110836.tif 000006
【図５】
2017110836.tif 000007
【図６】
2017110836.tif 000008
【図７】
2017110836.tif 000009